(57)【要約】【課題】  モータから伝わる振動を減衰させるとともに、リサイクル性に優れたモータ支持装置を提供する。【解決手段】  モータ２７が取り付けられる支持板２１を減衰能性を有するマグネシウム合金を用いて成形する。支持板２１は、枠部２１ａ、取り付け部２１ｂ、及び複数のリブ２１ｃから構成され、支持板２１には複数の貫通孔２１ｆが形成される。このようにして支持板２１は網板状に形成される。これにより支持板２１の剛性が高められ、支持板２１においてモータ２７から伝わる振動を減衰させることができる。さらに、支持板２１は、マテリアルリサイクルを何度行なっても劣化しないため、繰り返し使用することが可能となる。【選択図】        図２
2005080877.tif 000002
【特許請求の範囲】
【請求項１】
駆動軸にリールが固定されたモータを支持するモータ支持装置が、網板状に形成された支持板であることを特徴とするモータ支持装置。
【請求項２】
前記支持板は、マグネシウム合金からなることを特徴とする請求項１記載のモータ支持装置。
【請求項３】
駆動軸にリールが固定されたモータを支持するモータ支持装置が、両面、又は片面に、網目状の梁を設けた支持板であることを特徴とするモータ支持装置。
【請求項４】
前記支持板、及び前記梁の少なくともいずれか一方は、マグネシウム合金からなることを特徴とする請求項３記載のモータ支持装置。
【請求項５】
請求項１ないし４のいずれか１つに記載のモータ支持装置と、このモータ支持装置が固定されるベース部材とを備えた遊技機用リールユニットであって、前記ベース部材をマグネシウム合金で成形したことを特徴とする遊技機用リールユニット。
【請求項６】
請求項１ないし４のいずれか１つに記載のモータ支持装置、又は請求項５記載の遊技機用リールユニットを備えたことを特徴とする遊技機。
【発明の詳細な説明】
【技術分野】
【０００１】
本発明は、スロットマシン、パチンコ機等に使用されるモータ支持装置、遊技機用リールユニット及び遊技機に関する。
【背景技術】
【０００２】
パチンコ店などの遊技場に設置して使用されるスロットマシンには、外周に様々な図柄を一定ピッチで配列したリールやそのリールを回転又は停止させるためのステッピングモータ（以下、モータと称する）をベース部材に組み込んだリールユニットが内蔵されている。このようなリールユニットにはリールが３個程度並設されており、それぞれ個別のモータによって回転及び停止制御が行われる。ベース部材には、駆動軸にリールが固定されたモータを支持する板状の支持部材が一定の間隔をおいて並列に設けられている。
【発明の開示】
【発明が解決しようとする課題】
【０００３】
支持部材やベース部材は板金、又は樹脂にて成形されており、さらに支持部材やベース部材は板状に成形されていることから、モータの振動が増幅し易い構成になっている。そのため、モータの振動が支持部材やベース部材などで増幅された場合には、その増幅された振動がリールに伝わり、その結果、リールの回転や停止が正常に行われなくなるという問題が発生していた。
【０００４】
また、スロットマシンには、リールに設けられた図柄がどの位置にあるかを特定するための図柄検出センサが設置されているが、モータの振動が支持部材やベース部材で増幅されて、その増幅された振動がリールに伝達されるためリールが揺れてしまい、図柄検出センサによる図柄の正確な位置検出が行えなくなるといった問題も発生していた。
【０００５】
ところで、支持部材やベース部材を樹脂で成形する場合には、支持部材やベース部材の強度を高めるためにガラス繊維入りの樹脂が用いられ、また、支持部材やベース部材を板金で成形する場合には、板金の酸化を防ぐために板金にメッキ塗装が施される。このように支持部材やベース部材には性質の異なる材料が混在しているため、支持部材やベース部材をリサイクルすることが困難だった。
【０００６】
本発明は上記課題を解決するためになされたものであり、モータから支持部材やベース部材に伝わる振動を減衰させることで、リールの回転及び停止を正確に行わせ、且つ、リールに設けられた図柄の位置検出を正確に行わせることができるモータ支持装置、遊技機用リールユニット及び遊技機を提供することを目的とする。加えて、リサイクル性を向上させたモータ支持装置、遊技機用リールユニット及び遊技機を提供することも本発明の別の目的である。
【課題を解決するための手段】
【０００７】
上記目的を達成するために、本発明のモータ支持装置は、駆動軸にリールが固定されたモータを支持するものであり、網板状に形成された支持板であることを特徴とする。また、前記支持板は、マグネシウム合金からなることが好ましい。
【０００８】
本発明のモータ支持装置は、駆動軸にリールが固定されたモータを支持するものであり、両面、又は片面に、網目状の梁を設けた支持板であることを特徴とする。また、前記支持板、及び前記梁の少なくともいずれか一方は、マグネシウム合金からなることが好ましい。
【０００９】
本発明の遊技機用リールユニットは、上記モータ支持装置と、このモータ支持装置が固定されるベース部材とを備えたものであって、前記ベース部材をマグネシウム合金で成形したものである。
【００１０】
本発明の遊技機は、上記モータ支持装置、又は上記遊技機用リールユニットを備えたものである。
【発明の効果】
【００１１】
本発明のモータ支持装置、遊技機用リールユニット及び遊技機によれば、駆動軸にリールが固定されたモータを支持するモータ支持装置が、網板状に形成された支持板であるので、モータからの振動が減衰され、リールの起動不良を防止することができ、さらにリールに配されている図柄の位置検出を正確に行なうことができるようになる。また、放熱性が向上し、遊技機に組み込まれている各種装置の熱による故障を防ぐことができる。また、前記支持板が、マグネシウム合金からなるので、モータから伝達される振動を支持部材にてより一層減衰させることができ、さらに支持部材のリサイクル性を向上させることができる。
【００１２】
また、駆動軸にリールが固定されたモータを支持するモータ支持装置が、両面、又は片面に、網目状の梁を設けた支持板であるので、モータから伝わる振動を減衰させることが可能となり、リールの起動不良を防止することができ、さらにリールに配されている図柄の位置検出を正確に行なうことができるようになる。また、前記支持板、及び前記梁の少なくともいずれか一方が、マグネシウム合金からなるので、モータから伝達される振動をより一層減衰させることができ、さらにリサイクル性を向上させることができる。
【００１３】
本発明の遊技機用リールユニットは、上述したモータ支持装置と、マグネシウム合金で成形したベース部材とを備えたので、前記モータ支持装置及びベース部材においてモータから伝達される振動が減衰され、リールの起動不良を防止することができ、さらにリールに配されている図柄の位置検出を正確に行なうことができるようになる。
【発明を実施するための最良の形態】
【００１４】
以下、本発明の遊技機用リールユニットについて図面を参照して説明する。なお、各図面において、同一の符号を付したものは、同様の構成又は作用を有するものであり、これらについての重複説明は適宜省略するものとする。
【００１５】
図１に示すように、スロットマシン２の前面には、表示窓３、ＬＣＤパネル４、操作パネル５が設けられている。表示窓３の奥には、第１〜第３リール６〜８が回転自在に組み込まれた遊技機用リールユニット９（図２参照）が配設されている。第１〜第３リール６〜８の外周には様々な図柄が一定ピッチで配列され、これらリールが停止した状態では表示窓３を通して１リール当たり３個の図柄が観察されるようになっている。
【００１６】
操作パネル５は、ＭＡＸベットボタン１０、１ベットボタン１１の他に、ストップボタン１２〜１４、スタートレバー１５、ペイアウトボタン１６等の各種の操作ボタンによって構成されている。操作パネル５の横にはメダル投入口１７が設けられている。操作パネル５の下方には、スロットマシン２で遊技を行なって入賞を得られた場合に、その入賞に対する配当枚数のメダルを払い出すためのメダル払い出し口１８及びメダル受け皿１９が設けられている。なお、上記操作ボタンの機能については周知であるため、その詳細を省略する。
【００１７】
次に、スロットマシン２に組み込まれている遊技機用リールユニット９について説明する。図２に示すように、遊技機用リールユニット９は、第１〜第３リール６〜８と、支持板２１〜２３（モータ支持装置）と、これら支持板２１〜２３が固定されるベース部材２０とから構成されている。
【００１８】
第１〜第３リール６〜８は同様な構成をしており、以下、リールの構成については、第１リール６を例に挙げて説明する。図２及び図３に示すように、第１リール６は、リールテープ２５と、リールテープ２５が巻きつけられるリール本体２６とから構成されている。この第１リール６にはモータ２７が取り付けられている。モータ２７としては、入力されるパルス数に比例した回転角度が得られるステッピングモータが用いられている。リールテープ２５は、シート状の部材を帯状に形成したものであり、合成樹脂製のフィルムによって形成されている。表面には一定のピッチで図柄が印刷されている。
【００１９】
図３に示すように、リール本体２６は、樹脂によって成形される成形品である。リール本体２６は、円環状であり、且つ梯子状に形成された外周部２６ａと、この外周部２６ａの中心に位置するように形成されたボス部２６ｂとから構成されている。ボス部２６ｂの中心にはモータ２７の駆動軸２７ａが挿入される透孔２６ｃが穿設されており、この透孔２６ｃにモータ２７の駆動軸２７ａを挿入した後、ボルト（不図示）を締め込むことで、モータ２７の駆動軸２７ａはリール本体２６に固定される。外周部２６ａには周方向に沿ってリールテープ２５が巻き付けられて、工業用接着剤によってリール本体２６に固着される。
【００２０】
図２に示すように、第１〜第３リール６〜８が取り付けられるベース部材２０はマグネシウム合金からなり、略コの字状に成形されている。なお、このマグネシウム合金は耐久限度以下の応力サイクル（振動）を受けたときに、そのエネルギーを熱として吸収または消散させる減衰能性を有している。また、マグネシウムの再生に要するエネルギーは初期材料製造時の５％程度であることから、マグネシウム合金はリサイクル性に優れた特性を有している。
【００２１】
ベース部材２０には第１〜第３リール６〜８を設置するための空間であるリール設置空間２０ａが設けられている。このリール設置空間２０ａは天板２０ｂ、底板２０ｃ、及び奥板２０ｄによって構成されている。天板２０ｂと底板２０ｃは奥板２０ｄを介して対面し、且つ水平になるように配置されている。底板２０ｂの前部には、ベース部材２０をスロットマシン２内部の所定箇所に位置決めして取り付けるための爪２０ｅが形成されている。
【００２２】
ベース部材２０のリール設置空間２０ａには支持板２１〜２３が等間隔に並設されている。支持板２１には第１リール６が、支持板２２には第２リール７が、支持板２３には第３リール８が取り付けられる。
【００２３】
図３に示すように、支持板２１はマグネシウム合金からなり、枠部２１ａと、モータ２７が取り付けられる取り付け部２１ｂと、この取り付け部２１ｂと枠部２１ａとを連結するリブ２１ｃとから構成されている。この支持板２１は、例えばチクソモールディング成形法により、枠部２１ａ、取り付け部２１ｂ、及びリブ２１ｃが一体に成形されている。なお、このチクソモールディング成形法は、米国のダウ・ケミカル（ＤｏｗＣｈｅｍｉｃａｌ）社によって開発された成形法であり、例えば、合金スラリーを固液共存温度にて射出成形する方法として知られている方法である。また、マグネシウム合金を用いて成形品を成形する方法としては、ダイカスト等の成形方法を用いても良い。また、枠部２１ａ、取り付け部２１ｂ、及びリブ２１ｃのそれぞれを別々に成形した後に工業用接着剤やビスなどを用いて支持板２１を組み立てるようにしても良い。
【００２４】
枠部２１ａは、６角形に形成されている。その６角形を構成している６つの辺のうちの１辺は、ベース部材２０のリール設置空間２０ａの高さに相当するように形成されており、残りの５辺は同じ長さに形成されている。また、枠部２１ａの上端と下端のそれぞれには支持板２１をベース部材２０に取り付けるための取り付け片２１ｄ、２１ｅが形成されている。取り付け片２１ｄの上面、及び取り付け片２１ｅの下面のそれぞれには工業用接着剤が塗布され、支持板２１は取り付け片２１ｄ、２１ｅを介してベース部材２０の所定箇所に取り付けられる。
【００２５】
枠部２１ａ内の略中央には矩形状の取り付け部２１ｂが設けられている。この取り付け部２１ｂからは枠部２１ａにかけて蜘蛛の巣状に複数のリブ２１ｃが形成されており、これらリブ２１ｃによって貫通孔２１ｆが形成される。また、図３及び図４に示すように、リブ２１ｃは断面が凸状に形成されている。このようにして支持板２１は網板状に形成される。
【００２６】
取り付け部２１ｂには押さえボルト２８を挿通させるための挿通穴２１ｇが穿設されている。モータ２７には取り付け部２１ｂの挿通穴２１ｇに対応して雌ネジ２７ｂが形成されている。これにより押さえボルト２８が取り付け部２１ｂの挿通穴２１ｇを介してモータ２７の雌ネジ２７ｂに螺合され、モータ２７が取り付け部２１ｂに取り付けられる。
なお、支持板２２、２３は支持板２１と同様な構成であるため、支持板２２、２３の説明は省略する。
【００２７】
以下、上記構成による作用について説明する。ベース部材２０、支持板２１をマグネシウム合金を用いて成形する。支持板２１は、枠部２１ａ、取り付け部２１ｂ、及び複数のリブ２１ｃから構成される。リブ２１ｃは、取り付け部２１ｂから枠部２１ａにかけて蜘蛛の巣状に形成され、支持板２１は網板状に形成される。これにより支持板２１の剛性が高められる。
【００２８】
支持板２１をベース部材２０に取り付けた後、第１リール６をモータ２７を介して支持板２１に取り付ける。第１リール６と同様にして第２リール７、第３リール８をベース部材２０に取り付ける。
【００２９】
このようにして構成された遊技機用リールユニット９をスロットマシン２に組み込む。スロットマシン２の電源を投入し、所定の操作を行うと、第１〜第３リール６〜８が回転し始める。このとき、モータ２７から発せられる振動が支持板２１に伝えられる。支持板２１の剛性は、複数のリブ２１ｃが蜘蛛の巣状に形成されることによって高められているので、支持板２１における振動の増幅が抑制される。また、支持板２１、及びベース部材２０は減衰能性を有するマグネシウム合金によって成形されているので、モータ２７から支持板２１、及びベース部材２０に伝達される振動はより一層抑制される。さらに、貫通孔２１ｆが設けられているので、モータ２７から発生する熱が外へ逃がされる。
【００３０】
以上のように、モータ２７から伝わる振動が支持板２１、及びベース部材２０で減衰するため、第１リール６の起動不良を防止することができる。また、第１リール６の揺れが抑制されるので、スロットマシン２に、第１リール６の図柄の位置を検出する図柄検出センサ（不図示）が設けられている場合には、図柄検出センサによる図柄の位置検出を正確に行なうことができるようになる。さらに、ベース部材２０及び支持板２１はマグネシウム合金の成形品であり、マテリアルリサイクルを何度行なっても劣化しないため、繰り返し使用することが可能となる。なお、第２リール７、第３リール８のそれぞれを支持している支持板２２、２３についても同様の効果が得られる。
【００３１】
上記実施形態では、リブ２１ｃの断面を凸状に形成したが、これに限ることなく、図５に示すように、リブ２１ｃの断面を矩形状に形成しても良い。また、上記実施形態では、複数のリブ２１ｃを蜘蛛の巣状に形成したが、図７に示すように、複数のリブ２１ｃを格子状にして網目状を形成しても良く、また、図８に示すように、ハニカム状にして網目状を形成しても良い。すなわち、リブ２１ｃは支持板２１の剛性を高めるような肉厚や形状に形成されていれば良く、適宜に決定すれば良い。
【００３２】
上記実施形態では、支持板２１に貫通孔２１ｆを設けたが、図６に示すように、板２９に、上記実施形態のリブ２１ｃと同様にして梁２９ａを一体に形成して支持板２１の剛性を高めるようにしても良い。また、板２９及び梁２９ａをマグネシウム合金によって一体成形することで、より一層支持板２１に伝わる振動を減衰させることができる。また、支持板２１は、板２９と梁２９ａとを別々に成形し、それらを工業用接着剤などで組み付けて構成しても良い。
【００３３】
上記実施形態では、スロットマシン２に、支持板２１がベース部材２０に固定された遊技機用リールユニット９を組み込んだが、支持板２１をスロットマシン２内部の所定箇所に直接固定しても良い。
【００３４】
なお、上記実施形態ではスロットマシンを例に挙げて説明したが、本発明は、スロットマシンに限らず、パチンコ機等のリールを使用する全ての遊技機に対して適用することが可能である。
【図面の簡単な説明】
【００３５】
【図１】本発明を採用したスロットマシンの外観を示す概略斜視図である。
【図２】遊技機用リールユニットの外観を示す斜視図である。
【図３】第１リール、モータ、及び支持板の構成を示す分解斜視図である。
【図４】支持板のリブ及び貫通孔の概略端面図である。
【図５】図４に示すリブ及び貫通孔における別形態を示す概略端面図である。
【図６】梁が設けられている支持板の概略端面図である。
【図７】支持板における別の形態を示す斜視図である。
【図８】図７に示した支持板とは別の形態である支持板の外観を示す斜視図である。
【符号の説明】
【００３６】
２  スロットマシン
９  遊技機用リールユニット
６〜８  第１〜第３リール
２０  ベース部材
２１  支持板（モータ支持装置）
２１ａ  枠部
２１ｂ  取り付け部
２１ｃ  リブ
２１ｆ  貫通孔
２７  モータ
２９  板
２９ａ  梁
【図１】
2005080877.tif 000003
【図２】
2005080877.tif 000004
【図３】
2005080877.tif 000005
【図４】
2005080877.tif 000006
【図５】
2005080877.tif 000007
【図６】
2005080877.tif 000008
【図７】
2005080877.tif 000009
【図８】
2005080877.tif 000010